(57)【要約】【課題】外気を室内に給気する際に居住者に直接当てない構成を簡単且つ外観品質を維持できる換気装置を提供する。【解決手段】箱体部６の送風路の室内側に空気を案内する整流板１２を設置して、箱体部６の側壁部６Ｓに通気開口部１３を形成し、この通気開口部１３にシャッター１４を設けた。【選択図】  図１
2006112736.tif 000002
【特許請求の範囲】
【請求項１】
空気が通風可能な箱体部を有し、該箱体部の室内側に、送風方向を変える整流部材を設け、前記箱体部と前記整流部材との間に通気開口部を形成し、該通気開口部を開閉可能に回動する回動部材を設けたことを特徴とする換気装置。
【請求項２】
請求項１の換気装置において、前記回動部材が回動軸を中心として回動可能に設置されると共に、前記整流部材が前記箱体部の側壁部より外側に突出するように形成されていることを特徴とする換気装置。
【請求項３】
屋外の空気を室内に給気する給気手段と、室内空気を屋外に排気する排気手段とを備え、前記給気手段から給気された空気を前記排気手段から排気して、建物内の空気の入れ換えを行う換気システムであって、前記給気手段と前記排気手段の少なくとも何れかが請求項１、２の何れかの換気装置であることを特徴とする換気システム。
【請求項４】
請求項１、２の何れか記載の換気装置又は請求項３記載の換気システムの何れかを備えたことを特徴とする住宅構造。
【発明の詳細な説明】
【技術分野】
【０００１】
本発明は、換気装置及び換気システム並びに住宅構造に関する。
【背景技術】
【０００２】
従来の換気装置として、壁に設置する外気導入用ファンが知られている。この外気導入ファンは、外気を室内に給気するための空気導入用の筒状部と、外気を室内に給気するための箱体形状の箱体部とを有し、箱体部の背面部に形成した円形の開口部に筒状部を接続して、筒状部を後方に突出させた形状を有している。
【０００３】
この外気導入ファンの筒状部内部にはモーターが格納されており、モーターは筒状部内部の支持アームに固定されている。モーターの回転軸にはプロペラファンが固定されており、箱体部の前面に空気を通すスリット穴が多数形成されている。モーターを回転させると、プロペラファンが回転して、筒状部内部に建物外部の空気が導入され、箱体部の前面部のスリット穴から室内に外気が吹き出すようになっている。
【０００４】
しかし、このような外気導入ファンでは、箱体部前面から直角方向の前方に向かって外気が吹き出されるために、冬季などに冷たい外気が直に居住者に当たって寒さを感じさせるという問題がある。
【０００５】
そこで、箱体部の前面部に水平方向に延びる第１スリット穴を形成し、箱体部の前面部に化粧板を上下動可能に設置し、当該化粧板に第１スリット穴と同形同大の第２スリット穴を形成し、化粧板の上下移動により、第１スリット穴と第２スリット穴とを連通させて風圧を弱めて室内に送風したり、封鎖したりして外気の導入時以外の時に、気圧や風圧によって外気が室内に入り込まないようにしたものもある。
【０００６】
また、上述の箱体部の前面に化粧板を設けるタイプのものでは、化粧板を箱体部の前後方向に変移可能に設置し、化粧板を箱体部に密着させるように位置させたり、化粧板を箱体部から離すように位置させたりすることができるようになっているものがある。
【０００７】
このタイプのものでは、化粧板を箱体部から引き離して遠ざけると、化粧板と個体部との間の隙間に通じて室内空気を建物外部に排気できるようになっている。また、化粧板を箱体部に密着させると、化粧板と個体部との間が閉ざされて空気の通路が遮断され、室内に建物外部の空気が侵入せず、化粧板に結露が生じないようになっている。
【特許文献１】特開平８−３３８６５０号公報
【発明の開示】
【発明が解決しようとする課題】
【０００８】
しかし、上述の箱体部から化粧板を密着させたり、離したりするタイプのものでは、化粧板を前後方向に移動させる機構を有する必要があり、機構が複雑になると共に、外気を取り入れるときに箱体部から室内側に突出するので、見栄えが良くないという問題がある。
【０００９】
本発明は、このような問題に着目してなされたものであり、化粧板を箱体部に設ける場合に、空気の送風方向を変える機構を簡単なものとすると共に、外部から見え難くして見栄えを良くすることを目的とする。
【課題を解決するための手段】
【００１０】
上記課題を解決するために、本願の第１の換気装置は、空気が通風可能な箱体部を有し、該箱体部の室内側に、送風方向を変える整流部材を設け、前記箱体部と前記整流部材との間に通気開口部を形成し、該通気開口部を開閉可能に回動する回動部材を設けたことを特徴とする。
【００１１】
本願の請求項２の換気装置は、請求項１の換気装置において、前記回動部材が回動軸を中心として回動可能に設置されると共に、前記整流部材が前記箱体部の側壁部より外側に突出するように形成されていることを特徴とする。
【００１２】
本願の請求項３の換気システムは、屋外の空気を室内に給気する給気手段と、室内空気を屋外に排気する排気手段とを備え、前記給気手段から給気された空気を前記排気手段から排気して、建物内の空気の入れ換えを行う換気システムであって、前記給気手段と前記排気手段の少なくとも何れかが請求項１、２の何れかの換気装置であることを特徴とする。
【００１３】
本願の請求項４の住宅構造は、請求項１、２の何れか記載の換気装置又は請求項３記載の換気システムを備えたことを特徴とする。
【発明の効果】
【００１４】
本発明に係る第１の換気装置によれば、箱体部と整流部材の間に通気開口部を形成したので、外気を給気する場合や、室内空気を排気する場合に、外気を直に居住者に当てたり、送風機の停止中に建物の外側の空気が直接室内に入り込んで居住者に当たることを防止できる。また、この通気開口部に回動部材を設けたので、側部の通気開口部の開閉調節を行うことができる。
【００１５】
本願の第２の換気装置によれば、通気開口部の回動部材が、通気開口部を開いたときであっても、シャッターの側縁部を換気装置の前面側から見えないように隠せるので、換気装置の箱体部の前面部の意匠が変化することなく、違和感が生じることがない。
【００１６】
本願の換気システムによれば、第１、第２の換気装置の何れかのみで、外気を取り入れる給気を行っても良いし、排気を行っても良く、また、複数の換気装置を建物に設置して、建物の戸口のアンダーカット等を通して空気の流路を形成してもよい。また、複数の換気装置の一方を給気装置とし、他方を排気装置とすると、建物の戸口のアンダーカット等を通して空気の流路を形成することができ、第１種換気システムを構成することできる。
【００１７】
本願の建物の換気構造によれば、換気システムと同様に、建物の戸口のアンダーカット等を通して空気の流路を形成する換気構造を構成でき、室内の美観に違和感を与えない。また、複数の換気装置の一方を給気装置とし、他方を排気装置として、建物の戸口のアンダーカット等を通して空気の流路を構成しても良い。
【発明を実施するための最良の形態】
【００１８】
以下、本発明の最良の形態に係る換気装置及び換気システム等について図面に基づいて説明する。この換気装置及び換気システム等は、外気の室内への給気、若しくは室内空気の建物外部への排気の少なくとも何れかに適用されるものであるが、この実施の形態の換気装置及び換気システムは外気を給気する給気ファン装置１に適用されている。給気ファン装置１は、直に外気が居住者に当たらないようにする一方、風路抵抗を極力少なくして送風圧損を少なくするのが望ましい。
【００１９】
図１はこの実施の形態にかかる給気ファン装置１を示す。この給気ファン装置１は、建物の壁面２に形成された開口部３に設置されるものであり、開口部３に装着されるスリーブ４と、スリーブ４に装着される筒状部５と、箱体部６とを有している。
【００２０】
筒状部５と箱体部６は通じており、筒状部５と箱体部６を介して建物外部と建物内部が通じている。筒状部５内部には、ファン８を回転駆動するファンモーター７を保持する半円形状の支持枠部７Ｓが一対設けられており、一対の支持枠部７Ｓを組み合わせて円形とした保持空間部にファンモーター７が保持されている。ファンモーター７の回転軸にはファン８が取り付けられている。図示しない電源スイッチのオンによりファンモーター７が回転して、ファン８が回転することによって建物の外部から筒状部５の内部に外気が取り入れられ、箱体部６の内部に送り込まれる。筒状部５の前側部分はフランジ５Ｆとされており、フランジ５Ｆの外周部にリブ５Ｒが形成されている。
【００２１】
正面から見て矩形の枠体形状に形成された箱体部６の背面部は、筒状部５のフランジ５Ｆで塞がれており、筒状部５のリブ５Ｒは箱体部６の背面部に嵌合されている。箱体部６はリブ５Ｒによって壁面２に沿って設置されている。筒状部６から箱体部６に通じる内部空間は外気を導入するための送風路９とされている。
【００２２】
箱体部６の両側部の正面側には上下方向に延びる柱状部１０が形成されており、左右の柱状部１０の間にフィルター１１が取り付けられる。左右の柱状部１０の水平断面は略「Ｌ」字形状とされており、「Ｌ」の角部分が箱体部６の中央部側に位置するように形成されている。箱体部６の上板部６Ｕ（図２参照）と下板部６Ｌ（図２参照）と左右の側壁部６Ｓで形成される枠状の空間部は筒状部５に通じている。箱体部６の上板部６Ｕと下板部６Ｌの前縁部には整流板１２を取り付ける円筒状の突起部１２Ａ（図１参照）が突設されている。整流板１２は請求項における整流部材である。
【００２３】
フィルター１１は上板部６Ｕと下板部６Ｌ及び左右の柱状部１０の間に空間部に嵌め込まれて取り付けられる。フィルター１１はファン８によって室内に給気される空気を濾過して、空気中に含まれる塵埃や虫等を除去するように、ネット或いはメッシュで形成されている。フィルター１１全体は円弧形状に湾曲して形成されている。
【００２４】
フィルター１１の前方には通気開口部１３に通じる隙間を介して整流板１２が取り付けられる。図５、図６に示すように、整流板１２には図示しないピンが形成されており、そのピンを突起部１２Ａの穴に挿入し、整流板１２を固定する。また、整流板１２に、図示しないネジ穴を設け、このネジ穴にネジを挿入し、ネジの先端部を突起部１２Ａの穴にねじ込んで整流板１２を固定しても良い。整流板１２はフィルター１１の形状に合わせた円弧断面を有しており、整流板１２と柱状部１０との間に通気開口部１３に連なる隙間が形成される。
【００２５】
通気開口部１３は箱体部６の両側部に形成される。通気開口部１３は、箱体部６の側壁部の高さの全体に及ぶ細長い形状を有している。整流板１２の曲率半径はフィルター１１の曲率半径より大きく設定され、整流板１２の中央部とフィルター１１の中央部の距離は、整流板１２の両側部とフィルター１１の両側部の距離より大きくなるように形成されている。このため、フィルター１１を通り抜けた空気は、整流板１２の裏面に当たって左右の通気開口部１３にガイドされる。整流板１２の中央部は両側より幅が狭くなっているので、空気の流速が速くなっており、通気開口部１３から室内に放出されるときに、空気の流れる流速が減速される。
【００２６】
左右の柱状部１０の内側には回動型のシャッター１４がそれぞれ設置されている。シャッター１４は本発明の回動部材である。シャッター１４は、箱体部６の左右に形成された通気開口部１３を開閉するものであり、外気を室内に供給しないときには、閉めて空気を遮断出来るようになっている。図３（ａ）（ｂ）に示すように、通気開口部１３を閉鎖しているときに、シャッター１４は箱体部６の側壁部６Ｓと同じ高さで連なる面を形成できるように平らに形成されている。
【００２７】
図２に示すように、シャッター１４の上下の端部には回動操作するために軸受板１４Ａ、１４Ｂが形成されており、上の軸受板１４Ａに軸１５が突設されている。この軸１５は箱体部６の上板部６Ｕの穴１５Ａに回動自在に保持されている。下の軸受板１４Ｂには円形の取付穴１６が形成されており、この取付穴１６にダイアル１７の割爪部１８が圧入されている。割爪部１８は箱体部６の下板部６Ｌの取付穴１９を貫通しており、取付穴１９、１６を通過するために溝の内側に撓んだ後復帰して脱落不能に取り付けられる。
【００２８】
図４（ａ）（ｂ）（ｃ）はダイアル１７及びダイアル１７を取り付ける凹部２２の形状を示す。ダイアル１７の下板部６Ｌに臨む面には、円弧状のガイド溝２０が形成されており、ガイド溝２０の両端部にシャッター１４の開き角度を固定するクリック穴２１が形成されている。箱体部６の下板部６Ｌの下面角部にはダイアル１７の肉厚相当の凹み２２が形成され、凹み２２の表面にはガイド溝２０に嵌め込まれる突起２３が形成されている。ダイアル１７を回転させると、シャッター１４が回動して、通気開口部１３を開閉するが、突起２３がクリック穴２１に入り込むと、シャッター１４が通気開口部１３を閉じたり、若しくは、開いたりする姿勢を保持する。ダイアル１７の外周部にはシャッター１４を開閉するための肉厚方向に延びる溝が形成されている。
【００２９】
図３（ａ）（ｂ）はシャッター１４の回動状態を示す。図３（ａ）（ｂ）に示すように、シャッター１４の回転半径方向の長さは、通気開口部１３の幅とほぼ同じ長さとされており、シャッター１４を箱体部６の側壁部６Ｓと同じ高さになるように回動させたときに、通気開口部１３が完全に塞がれるようになっている。また、整流板１２側には、通気開口部１３を塞いだシャッター１４が通気開口部１３から外側に飛び出さないように支持するストッパー部１２Ｓが突設されている。
【００３０】
この整流板１２の端縁部１２Ｔは、箱体部６の正面中央部から斜め（例えば４５°）離れた位置からでも通気開口部１３が見えないように、側壁部６Ｓより側方に突出しているものであっても良い。このように構成すると、シャッター１４の開閉に拘わらず、斜めから見ても箱体部６本体の意匠変化がなく、違和感が生じない。
【００３１】
以上説明したように、この給気ファン装置１によれば、箱体部６の送風路の室内側に空気を案内する整流板１２を設置して、箱体部６の側壁部６Ｓに通気開口部１３を形成し、この通気開口部１３にシャッター１４を設けたので、外気を室内に給気する場合、外気を直に居住者に当てたり、送風機の停止中に建物の外側の空気が直接室内に入り込んで居住者に当たることを防止できる。また、この通気開口部１３にシャッターを１４設けたので、通気開口部１３の開閉調節を行うことができる。
【００３２】
さらに、突起２３が嵌め込まれるクリック穴２１をガイド溝２０の中間位置に設けて、ダイアル１７の回動により、中間位置でシャッター１４が固定されるようにして、シャッター１４の開き角度（開度）を調節することにより、風量調節を行えるようにしても良い。
【００３３】
また、通気開口部１３のシャッター１４が回動式であり、通気開口部１３を開いたときであっても、通気開口部１３を給気ファン装置１の前面側から見えないように隠せるので、給気ファン装置１の箱体部６の前面部の意匠が変化することなく、違和感が生じることがない。
【００３４】
次に、この給気ファン装置１を用いた換気システムを説明する。図７は、上述の給気ファン装置１を建物（住宅構造）２３に取り付けて２４時間換気を実施可能にした換気システムを示す。図７の換気システムでは、一階の居間Ｒ１の壁上部に給気ファン装置１が取り付けられており、一階のトイレＲ２、洗面所Ｒ３、浴室Ｒ４等の壁上部に排気ファン装置３０が取り付けられている。また、二階の居室Ｒ５、Ｒ６の壁上部に給気ファン装置１が取り付けられており、二階の廊下Ｒ７やトイレＲ８の壁上部に排気ファン装置３０が取り付けられている。
【００３５】
一階では給気ファン装置１から居間Ｒ１に給気した空気は、ドア下部に設けられたアンダーカット部Ｕやガラリ部Ｄを通して、トイレＲ２、洗面所Ｒ３、浴室Ｒ４に導かれ、排気ファン装置３０によって屋外に排気される。また、二階では給気ファン装置１から居室Ｒ５、Ｒ６に導入された空気は、居室Ｒ５のドア下部に設けられたアンダーカット部Ｕを通して、廊下Ｒ７の排気ファン装置３０によって屋外に排気される。また、居室Ｒ６の給気ファン装置１から導入された空気はアンダーカットＵを通して、廊下Ｒ７の排気ファン装置３０によって、屋外に排気されると共に、ガラリ部Ｄを通して、トイレＲ８に導かれ、排気ファン装置３０によって屋外に排気される。
【００３６】
この建物では、この給気ファン装置１と排気ファン装置３０により、一階と二階の換気システム３１がそれぞれ独立して構成されており、一階と二階の換気システム３１により住宅全体の換気対象部分の容積の所定換気回数（例えば０．５回／時間）を満たすように、連続的又は断続的に常時換気を行っている。この換気システムは、戸建て住宅だけでなく、マンションのような集合住宅に設置しても良い。
【００３７】
この換気システム３１は、給気ファン装置１のみで外気を取り入れる給気を行って、自然に排気する排気を行っても良く、また、複数の給気ファン装置１を建物に設置して、建物の戸口のアンダーカット等を通して空気の流路を形成してもよい。また、複数の換気装置の一方を給気ファン装置１とし、他方を排気ファン装置３０とすると、建物の戸口のアンダーカット等を通して空気の流路を形成することができ、第１種換気システムを構成することできる。
【００３８】
この建物の換気構造によれば、換気システムと同様に、建物の戸口のアンダーカットＵ等を通して空気の流路を形成する換気構造を構成でき、室内の美観に違和感を与えない。また、複数の換気装置の一方を給気装置とし、他方を排気装置として、建物の戸口のアンダーカットＵ等を通して空気の流路を構成しても良い。
【００３９】
尚、上記の実施の形態では換気装置として給気ファン装置１を用いて説明したが、空気を室内から室外に排気する排気ファン装置３０に適用してもよく、更に、送風ファンを有しないで外気を室内に給気する自然給気口に適用しても良い。
【００４０】
箱体部６の通気開口部１３を両側壁部に設け、シャッター１４で開閉するように構成したが、上板部６Ｕや下板部６Ｌ等に通気開口部１３を設け、これら上板部６Ｕや下板部６Ｌの通気開口部１３をシャッター１４で開閉するように構成しても良い。また、操作部であるダイアル１７を両側のシャッター１４にそれぞれ設けたが、リンク部材等の連結部材を設けて、操作部材と複数のシャッター１４を連結するか、複数のシャッター１４をリンク部材等で連結し、単一のダイアル等の操作部材を用いて開閉するようにしても良い。
【図面の簡単な説明】
【００４１】
【図１】本発明の実施の形態にかかる換気装置としての給気ファンの断面図。
【図２】図１の給気ファンのシャッター近傍の縦断面図。
【図３】（ａ）（ｂ）は図１のシャッター近傍の水平方向の断面図であり、（ａ）はシャッターで通気開口部を閉じた状態の断面図、（ｂ）はシャッターで通気開口部を閉じた状態の断面図。
【図４】（ａ）（ｂ）（ｃ）はダイアル近傍の構成を示す図であり、（ａ）はダイアル設置部分の角部の形状を示す図。（ｂ）はダイアルの表面形状を示す図、（ｃ）はダイアルを設置する箱体部底部の形状を示す図。
【図５】図１の給気ファンの斜視図であり、シャッターで通気開口部を閉じた状態の斜視図。
【図６】図１の給気ファンの斜視図であり、シャッターで通気開口部を開いた状態の分解斜視図。
【図７】図１の給気ファンを用いた換気システムを備えた建物の説明図。
【符号の説明】
【００４２】
１  給気ファン装置
５  筒状部
６  箱体部
８  ファン
１１  フィルター
１２  整流板（整流部材）
１３  通気開口部
１４  シャッター（回動部材）
１７  ダイアル
【図１】
2006112736.tif 000003
【図２】
2006112736.tif 000004
【図３】
2006112736.tif 000005
【図４】
2006112736.tif 000006
【図５】
2006112736.tif 000007
【図６】
2006112736.tif 000008
【図７】
2006112736.tif 000009